(57)【要約】【課題】異なる操作を個々に行うことなく、複数の異なる制御を実行させることを可能にする。【解決手段】回転可能とすると共に所定方向に押下可能に設けられた回転ローラ（操作子）２２と、回転ローラ２２に対する回転を検出する回転検出装置２１と、回転ローラ２２に対する押下を検出する検出スイッチ２３とが設けられる。ＣＰＵ１０は、検出スイッチ２３によって回転ローラ２２に対する押下が検出されている状態で回転検出装置２１によって回転ローラ２２の回転が検出される第１の状態と、検出スイッチ２３によって回転ローラ２２に対する押下が検出されていない状態で回転検出装置２１によって回転ローラ２２の回転が検出される第２の状態のそれぞれに応じた制御、例えば上下あるいは左右方向の表示画面のスクロール制御を実行する。【選択図】      図１
2005149389.tif 000002
【特許請求の範囲】
【請求項１】
回転可能とすると共に所定方向に押下可能に設けられたローラと、
前記ローラに対する回転を検出する回転検出手段と、
前記ローラに対する押下を検出する押下検出手段と、
前記押下検出手段によって前記ローラに対する押下が検出されている状態で前記回転検出手段によって前記ローラの回転が検出される第１の状態と、前記押下検出手段によって前記ローラに対する押下が検出されていない状態で前記回転検出手段によって前記ローラの回転が検出される第２の状態のそれぞれに応じた制御を行う制御手段と
を具備したことを特徴とする情報機器。
【請求項２】
回転可能とすると共に所定方向にスライド可能に設けられたローラと、
前記ローラに対する回転を検出する回転検出手段と、
前記ローラに対するスライドを検出するスライド検出手段と、
前記スライド検出手段によって前記ローラに対するスライドが検出されている状態で前記回転検出手段によって前記ローラの回転が検出される第１の状態と、前記スライド検出手段によって前記ローラに対するスライドが検出されていない状態で前記回転検出手段によって前記ローラの回転が検出される第２の状態のそれぞれに応じた制御を行う制御手段と
を具備したことを特徴とする情報機器。
【請求項３】
回転可能に設けられたローラと、
前記ローラに対する回転を検出する回転検出手段と、
スイッチ操作を検出するスイッチ検出手段と、
前記スイッチ検出手段によってスイッチ操作が検出されている状態で前記回転検出手段によって前記ローラの回転が検出される第１の状態と、前記スイッチ検出手段によってスイッチ操作が検出されていない状態で前記回転検出手段によって前記ローラの回転が検出される第２の状態のそれぞれに応じた制御を行う制御手段と
を具備したことを特徴とする情報機器。
【請求項４】
回転可能に設けられた透明の中空ローラと、
前記中空ローラ内にローラの回転と連動しないように設けられた撮像素子と、
前記中空ローラに物体が接触した状態で移動されることで前記中空ローラが回転されたことを検出する回転検出手段と、
前記中空ローラに対して接触された物体の前記中空ローラにおける位置を、前記撮像素子によって前記中空ローラを通して撮像された画像をもとに検出する位置検出手段と、
前記回転検出手段によって検出された前記中空ローラの回転と、前記位置検出手段によって検出された前記中空ローラに対する物体の位置に応じた制御を行う制御手段と
を具備したことを特徴とする情報機器。
【請求項５】
回転可能に設けられた透明の中空ローラと、
前記中空ローラ内にローラの回転と連動しないように設けられた撮像素子と、
前記中空ローラに物体が接触した状態で移動されることで前記中空ローラが回転されたことを検出する回転検出手段と、
前記中空ローラに対して接触された物体の種類を、前記撮像素子によって前記中空ローラを通して撮像された画像をもとに判別する判別手段と、
前記回転検出手段によって検出された前記中空ローラの回転と、前記判別手段によって判別された前記物体の種類に応じた制御を行う制御手段と
を具備したことを特徴とする情報機器。
【請求項６】
所定方向に押下可能に設けられた画像検出用のラインセンサと、
前記ラインセンサに対する物体による押下を検出する押下検出手段と、
前記ラインセンサによって検出される画像の変化によって、前記物体の前記ラインセンサ上における移動を検出する移動検出手段と、
前記移動検出手段による前記物体の移動の検出と、前記押下検出手段による前記ラインセンサに対する押下の検出に応じた制御を行う制御手段と
を具備したことを特徴とする情報機器。
【請求項７】
所定方向にスライド可能に設けられた画像検出用のラインセンサと、
前記ラインセンサに対する物体によるスライドを検出するスライド検出手段と、
前記ラインセンサによって検出される画像の変化によって、前記物体の前記ラインセンサ上における移動を検出する移動検出手段と、
前記移動検出手段による前記物体の移動の検出と、前記スライド検出手段による前記ラインセンサに対するスライドの検出に応じた制御を行う制御手段と
を具備したことを特徴とする情報機器。
【請求項８】
画像検出用のラインセンサと、
前記ラインセンサによって検出される画像の変化によって、前記ラインセンサ上における物体の移動を検出する移動検出手段と、
スイッチ操作を検出するスイッチ検出手段と、
前記移動検出手段による前記物体の移動の検出と、前記スイッチ検出手段によるスイッチ操作の検出に応じた制御を行う制御手段と
を具備したことを特徴とする情報機器。
【請求項９】
画像検出用のラインセンサと、
前記ラインセンサによって検出される画像の変化によって、前記ラインセンサ上における物体の移動と位置とを検出する検出手段と、
前記検出手段によって検出された前記ラインセンサに対する物体の移動と位置に応じた制御を行う制御手段と
を具備したことを特徴とする情報機器。
【請求項１０】
画像検出用のラインセンサと、
前記ラインセンサによって検出される画像の変化によって、前記ラインセンサ上における物体の移動と位置とを検出する検出手段と、
前記ラインセンサ上で移動された物体の種類を、前記ラインセンサによって検出された画像をもとに判別する判別手段と、
前記検出手段によって検出された前記ラインセンサに対する物体の移動と、前記判別手段によって判別された前記物体の種類に応じた制御を行う制御手段と
を具備したことを特徴とする情報機器。
【請求項１１】
前記制御手段は、表示画面中における表示内容を変更する表示制御を行うことを特徴とする請求項１乃至１０記載の何れかに記載の情報機器。
【発明の詳細な説明】
【技術分野】
【０００１】
本発明は、回転可能なローラ等の操作子が設けられた電子機器に関する。
【背景技術】
【０００２】
従来、ＰＤＡ（personal digital assistant）、携帯電話機、パーソナルコンピュータなどの各種の情報機器では、表示画面のスクロールなどの表示制御を、カーソルキーやダイヤル、ローラなどを用いた入力装置に対する操作に応じて行っている。
【０００３】
例えば、１つのダイヤル入力装置を設け、ダイヤル操作によって画面のスクロールを行うことができる情報機器がある（例えば特許文献１）。この情報機器では、ダイヤルが押圧されることにより、ダイヤルを回転させる操作があった場合のスクロール方向を垂直方向（上下）と水平方向（左右）で切り換えることができる。つまり、この電子機器では、１つのダイヤル装置によって２方向のスクロール操作が可能となる。
【０００４】
また、回転自在なローラの複数箇所にシャフト線と交差する方向の動作、例えば例えばローラの左端、右端、中央におけるプッシュ操作をそれぞれ検出するスイッチを設けて、ローラの回転の他、各位置でのプッシュに応じた表示制御することができる電子機器が考えられている（例えば特許文献２）。この電子機器では、例えばローラの回転には縦方向のスクロール、左プッシュ操作ではアイコン指定位置の左側への移動、右プッシュ操作では右側への移動、中央プッシュ操作では次の表示に切り換えるといった多機能化が図られている。
【特許文献１】特開２００３−０６７１０４
【特許文献２】特開２００２−１５７０７５
【発明の開示】
【発明が解決しようとする課題】
【０００５】
しかしながら、特許文献１に開示されている電子機器では、例えば上下方向と水平方向のスクロールを交互に行う場合には、ダイヤルを回転させて何れかの方向にスクロールさせた後、ダイヤルの回転を一時停止して押圧した後、再度、ダイヤルを回転させるといった操作が必要となる。すなわち、ダイヤルの回転と押圧の操作を繰り返さなければならなかった。
【０００６】
また、特許文献２に開示されている電子機器では、前述と同様に例えば上下方向と水平方向のスクロールを交互に行う場合には、ローラを回転させて縦方向にスクロールさせた後、ローラの回転を一時停止して、ローラの左端あるいは右端をプッシュする操作をした後、再度、ローラを回転させるといった操作が必要となる。同様にして、ローラの回転とローラプッシュの操作を繰り返さなければならなかった。
【０００７】
本発明の課題は、回転操作と押圧操作といった異なる操作を個々に行うことなく、複数の異なる制御を実行させることが可能な情報機器を提供することを目的とする。
【課題を解決するための手段】
【０００８】
請求項１記載の発明は、回転可能とすると共に所定方向に押下可能に設けられたローラと、前記ローラに対する回転を検出する回転検出手段と、前記ローラに対する押下を検出する押下検出手段と、前記押下検出手段によって前記ローラに対する押下が検出されている状態で前記回転検出手段によって前記ローラの回転が検出される第１の状態と、前記押下検出手段によって前記ローラに対する押下が検出されていない状態で前記回転検出手段によって前記ローラの回転が検出される第２の状態のそれぞれに応じた制御を行う制御手段とを具備したことを特徴とする。
【０００９】
請求項２記載の発明は、回転可能とすると共に所定方向にスライド可能に設けられたローラと、前記ローラに対する回転を検出する回転検出手段と、前記ローラに対するスライドを検出するスライド検出手段と、前記スライド検出手段によって前記ローラに対するスライドが検出されている状態で前記回転検出手段によって前記ローラの回転が検出される第１の状態と、前記スライド検出手段によって前記ローラに対するスライドが検出されていない状態で前記回転検出手段によって前記ローラの回転が検出される第２の状態のそれぞれに応じた制御を行う制御手段とを具備したことを特徴とする。
【００１０】
請求項３記載の発明は、回転可能に設けられたローラと、前記ローラに対する回転を検出する回転検出手段と、スイッチ操作を検出するスイッチ検出手段と、前記スイッチ検出手段によってスイッチ操作が検出されている状態で前記回転検出手段によって前記ローラの回転が検出される第１の状態と、前記スイッチ検出手段によってスイッチ操作が検出されていない状態で前記回転検出手段によって前記ローラの回転が検出される第２の状態のそれぞれに応じた制御を行う制御手段とを具備したことを特徴とする。
【００１１】
請求項４記載の発明は、回転可能に設けられた透明の中空ローラと、前記中空ローラ内にローラの回転と連動しないように設けられた撮像素子と、前記中空ローラに物体が接触した状態で移動されることで前記中空ローラが回転されたことを検出する回転検出手段と、前記中空ローラに対して接触された物体の前記中空ローラにおける位置を、前記撮像素子によって前記中空ローラを通して撮像された画像をもとに検出する位置検出手段と、前記回転検出手段によって検出された前記中空ローラの回転と、前記位置検出手段によって検出された前記中空ローラに対する物体の位置に応じた制御を行う制御手段とを具備したことを特徴とする。
【００１２】
請求項５記載の発明は、回転可能に設けられた透明の中空ローラと、前記中空ローラ内にローラの回転と連動しないように設けられた撮像素子と、前記中空ローラに物体が接触した状態で移動されることで前記中空ローラが回転されたことを検出する回転検出手段と、前記中空ローラに対して接触された物体の種類を、前記撮像素子によって前記中空ローラを通して撮像された画像をもとに判別する判別手段と、前記回転検出手段によって検出された前記中空ローラの回転と、前記判別手段によって判別された前記物体の種類に応じた制御を行う制御手段とを具備したことを特徴とする。
【００１３】
請求項６記載の発明は、所定方向に押下可能に設けられた画像検出用のラインセンサと、前記ラインセンサに対する物体による押下を検出する押下検出手段と、前記ラインセンサによって検出される画像の変化によって、前記物体の前記ラインセンサ上における移動を検出する移動検出手段と、前記移動検出手段による前記物体の移動の検出と、前記押下検出手段による前記ラインセンサに対する押下の検出に応じた制御を行う制御手段とを具備したことを特徴とする。
【００１４】
請求項７記載の発明は、所定方向にスライド可能に設けられた画像検出用のラインセンサと、前記ラインセンサに対する物体によるスライドを検出するスライド検出手段と、前記ラインセンサによって検出される画像の変化によって、前記物体の前記ラインセンサ上における移動を検出する移動検出手段と、前記移動検出手段による前記物体の移動の検出と、前記スライド検出手段による前記ラインセンサに対するスライドの検出に応じた制御を行う制御手段とを具備したことを特徴とする。
【００１５】
請求項８記載の発明は、画像検出用のラインセンサと、前記ラインセンサによって検出される画像の変化によって、前記ラインセンサ上における物体の移動を検出する移動検出手段と、スイッチ操作を検出するスイッチ検出手段と、前記移動検出手段による前記物体の移動の検出と、前記スイッチ検出手段によるスイッチ操作の検出に応じた制御を行う制御手段とを具備したことを特徴とする。
【００１６】
請求項９記載の発明は、画像検出用のラインセンサと、  前記ラインセンサによって検出される画像の変化によって、前記ラインセンサ上における物体の移動と位置とを検出する検出手段と、前記検出手段によって検出された前記ラインセンサに対する物体の移動と位置に応じた制御を行う制御手段とを具備したことを特徴とする。
【００１７】
請求項１０記載の発明は、画像検出用のラインセンサと、前記ラインセンサによって検出される画像の変化によって、前記ラインセンサ上における物体の移動と位置とを検出する検出手段と、前記ラインセンサ上で移動された物体の種類を、前記ラインセンサによって検出された画像をもとに判別する判別手段と、前記検出手段によって検出された前記ラインセンサに対する物体の移動と、前記判別手段によって判別された前記物体の種類に応じた制御を行う制御手段とを具備したことを特徴とする。
【００１８】
請求項１１記載の発明は、請求項１乃至１０記載の何れかの発明において、前記制御手段は、表示画面中における表示内容を変更する表示制御を行うことを特徴とする。
【発明の効果】
【００１９】
請求項１記載の発明によれば、回転可能とすると共に所定方向に押下可能にローラが設けられ、ローラが押下されながら回転される状態（第１の状態）と、ローラが押下されないで回転される状態（第２の状態）のそれぞれに応じた制御が行われるため、例えば表示画面の上下方向スクロールから左右方向スクロールに切り換える場合には、単にローラを回転させながら押下すれば良く、回転操作と押圧操作を個々に行うことなく、上下方向スクロールと左右方向スクロールといった複数の制御を簡単に実行させることが可能となる。
【００２０】
請求項２記載の発明によれば、回転可能とすると共に所定方向にスライド可能にローラが設けられ、ローラがスライドされながら回転される状態（第１の状態）と、ローラがスライドされないで回転される状態（第２の状態）のそれぞれに応じた制御が行われるため、例えば表示画面の上下方向スクロールから左右方向スクロールに切り換える場合には、単にローラを回転させながらスライドすれば良く、請求項１記載の発明と同様に、複数の制御を簡単に実行させることが可能となる。
【００２１】
請求項３記載の発明によれば、回転可能に設けられたローラと、このローラとは別にスイッチ操作を検出する手段が設けられ、スイッチ操作されながらローラが回転される状態（第１の状態）と、スイッチ操作されないでローラが回転される状態（第２の状態）のそれぞれに応じた制御が行われるため、例えば表示画面の上下方向スクロールから左右方向スクロールに切り換える場合には、単にローラを回転させながらスイッチ操作すれば良く、請求項１記載の発明と同様に、複数の制御を簡単に実行させることが可能となる。
【００２２】
請求項４記載の発明によれば、回転可能に設けられた透明の中空ローラ内に撮像素子を設け、撮像素子によって撮像された画像をもとにローラを回転させる物体（例えば指先）のローラに対する位置を検出し、この物体の位置とローラの回転に応じた制御を実行するので、例えば表示画面の上下方向スクロールから左右方向スクロールに切り換える場合には、単にローラを回転させるためにローラに物体を接触させる位置を変えれば良く、請求項１記載の発明と同様に、複数の制御を簡単に実行させることが可能となる。
【００２３】
請求項５記載の発明によれば、回転可能に設けられた透明の中空ローラ内に撮像素子を設け、撮像素子によって撮像された画像をもとにローラを回転させる物体（例えば指先）の種類、すなわち何れの指を用いて操作しているかを判別し、この物体の種類（指の種類）とローラの回転に応じた制御を実行するので、例えば表示画面の上下方向スクロールから左右方向スクロールに切り換える場合には、単にローラを回転させるために用いる指を変えれば良く、請求項１記載の発明と同様に、複数の制御を簡単に実行させることが可能となる。
【００２４】
請求項６記載の発明によれば、所定方向に押下可能にラインセンサが設けられ、ラインセンサ上の物体（例えば指）の移動とラインセンサに対する押下に応じた制御が行われるため、例えば表示画面の上下方向スクロールから左右方向スクロールに切り換える場合には、単にラインセンサ上で指を移動させながら押下すれば良く、移動操作と押圧操作を個々に行うことなく、上下方向スクロールと左右方向スクロールといった複数の制御を簡単に実行させることが可能となる。
【００２５】
請求項７記載の発明によれば、所定方向にスライド可能にラインセンサが設けられ、ラインセンサ上の物体（例えば指）の移動とラインセンサに対するスライドに応じた制御が行われるため、例えば表示画面の上下方向スクロールから左右方向スクロールに切り換える場合には、単にラインセンサ上で指を移動させながらスライドすれば良く、請求項６記載の発明と同様に、複数の制御を簡単に実行させることが可能となる。
【００２６】
請求項８記載の発明によれば、ラインセンサと、このラインセンサとは別にスイッチ操作を検出する手段が設けられ、スイッチ操作とラインセンサ上の物体（例えば指）の移動に応じた制御が行われるため、例えば表示画面の上下方向スクロールから左右方向スクロールに切り換える場合には、単にラインセンサ上で指を移動させながらスイッチ操作すれば良く、請求項６記載の発明と同様に、複数の制御を簡単に実行させることが可能となる。
【００２７】
請求項９記載の発明によれば、ラインセンサによって検出された画像の変化によってラインセンサ上での物体（例えば指先）の移動と位置とを検出し、この物体の移動と位置に応じた制御を実行するので、例えば表示画面の上下方向スクロールから左右方向スクロールに切り換える場合には、単にラインセンサ上で移動させる指のラインセンサ上の位置を変えれば良く、請求項６記載の発明と同様に、複数の制御を簡単に実行させることが可能となる。
【００２８】
請求項１０記載の発明によれば、ラインセンサによって検出された画像の変化をもとにラインセンサ上で移動されている物体（例えば指先）の種類、すなわち何れの指を用いて操作しているかを判別し、この物体の種類（指の種類）とラインセンサの移動に応じた制御を実行するので、例えば表示画面の上下方向スクロールから左右方向スクロールに切り換える場合には、単にラインセンサを移動させるために用いる指を変えれば良く、請求項６記載の発明と同様に、複数の制御を簡単に実行させることが可能となる。
【００２９】
請求項１１記載の発明によれば、請求項１乃至１０の何れかの発明の効果に加えて、表示画面中における表示内容を変更する表示制御、例えば上下方向スクロールや左右方向スクロール、画面の切り換え、カーソル等のポインタの位置移動などを制御することができる。
【発明を実施するための最良の形態】
【００３０】
以下、図面を参照して本発明の実施の形態について説明する。  
（第１実施形態）  
図１は本発明の第１実施形態に係わる電子機器により実現される携帯電話機の電子回路の構成を示すブロック図である。携帯電話機は、記録媒体に記録されたプログラムを読み込み、この読み込んだプログラムによって動作が制御されるコンピュータの機能が搭載される。
【００３１】
図１に示す携帯電話機は、ＣＰＵ１０がＲＡＭ１１、記憶装置１２、表示装置１３、通話ユニット１４、キー入力部１５と接続されることで構成されている。また、携帯電話機には、各種機能を制御するために操作される回転ローラ（操作子）２２と、回転ローラ２２に対する操作を検知するための回転検出装置２１、検出スイッチ２３が設けられている。
【００３２】
ＣＰＵ１０は、ＲＡＭ１１のプログラムエリアに格納されたプログラムを実行することにより各種の機能を実現する。ＣＰＵ１０は、携帯電話機としての機能を制御する他、回転ローラ２２に対する操作に応じた制御など各種処理を実行する。第１実施形態では、例えば回転ローラ２２が操作されることにより、表示装置１３における表示制御、例えば上下方向あるいは左右方向へのスクロール制御を行うものとする。
【００３３】
ＲＡＭ１１は、プログラムや各種データが格納されてＣＰＵ１０によってアクセスされるもので、携帯電話機を制御する各種プログラムの他、回転ローラ２２によって読み取られた指紋パターンの画像データに対する処理を実行する処理プログラムなどが格納される。
【００３４】
記憶装置１２は、プログラムやデータ等が記憶されるもので、必要に応じて読み出されてＲＡＭ１１に格納される。
【００３５】
表示装置１３は、ＣＰＵ１０により実現される各種機能を実行する際に様々なデータ等を表示する。  
通話ユニット１４は、携帯電話機としての無線通信を行うためのユニットである。  
キー入力部１５は、電話番号入力用の数字キーや各種の機能キーからなる複数のキーにより構成されている。
【００３６】
回転ローラ２２は、例えば図２の携帯電話機の外観例に示すように、前面上部など、操作が容易となる位置に設けられる。回転ローラ２２は、少なくとも指先によって操作可能な程度の長さを持ったローラ状に形成されており、携帯電話機の筐体に設けられたスリットから外周面の一部が外部に露出されている。この露出されたローラの部分が指先によって操作される。回転ローラ２２を操作する場合には、指先を接触（圧接）させて、その状態で所定の方向（ローラのシャフトと垂直な方向）でローラを回転させながら移動させることで行う。
【００３７】
筐体表面に設けられるスリットは、利用者が回転ローラ２２（ローラ）に対して指先を圧接させて、透明ローラを回転させることができる程度の幅が確保されていれば良い。従って、筐体表面における回転ローラ２２（ローラ）の実装面積が少なくて良い。
【００３８】
図３（ａ）には、回転ローラ（操作子）２２の周辺部分の概略構成を示している。図３（ａ）は、第１実施形態における特徴を説明するために必要な構成部分のみを示している。
【００３９】
回転ローラ２２は、回転可能とすると共に所定方向に押下可能となるように、図示せぬ保持部材によって保持されており、図示せぬギア等を介してシャフト部分が回転検出装置２１と接続されている。回転検出装置２１は、回転ローラ２２の回転量と回転方向を検出したＣＰＵ１０に通知する。回転ローラ２２は、図示せぬバネ等の弾性部材によって、図３における上方向（携帯電話機の筐体外方向）に付勢されている。このため、押下可能となっている。
【００４０】
さらに、回転ローラ２２の下部には、検出スイッチ２３が配置されている。例えば、図３（ａ）におけるＡ−Ａ線における断面を、図３（ｂ）に示している。図３（ｂ）に示すように、検出スイッチ２３は、回転ローラ２２を支持するためのシャフトの下部近傍に設けることができる。回転ローラ２２は、通常の指先を用いた回転操作によっては、弾性部材により付勢されているため検出スイッチ２３により検出（オン）されないが、図中の矢印方向で意図的に押下されることにより下方に移動して、検出スイッチ２３により検出（オン）される。検出スイッチ２３は、回転ローラ２２に対する押下操作を検出して（オン）、ＣＰＵ１０に対して通知する。
【００４１】
次に、第１実施形態における動作について説明する。  
第１実施形態では、回転ローラ２２に対する操作によって、表示装置１３における表示画面の表示制御を実行させることができるものとする。ここでは、画面のスクロール制御を例にして、図４に示すフローチャートを参照しながら説明する。
【００４２】
まず、回転ローラ２２に対して指先が接触（圧接）され、その状態で所定の方向（ローラのシャフトと垂直な方向）で回転ローラ２２を回転させながら移動されたものとする。
【００４３】
回転検出装置２１は、回転ローラ２２の回転方向を検出すると共に、所定時間当たりの回転量を検出してＣＰＵ１０に通知する（ステップＡ１，Ａ２）。
【００４４】
ここで、ＣＰＵ１０は、検出スイッチ２３によって回転ローラ２２に対する押下が検出されていない状態で、回転ローラ２２の回転が検出されている場合（第２の状態）には、表示装置１３において表示されている表示画面を上下方向に、回転ローラ２２に対する回転量と回転方向に応じてスクロールさせる（ステップＡ４）。例えば、回転ローラ２２が手前から奥方向へ回転された場合には上方向へスクロールさせ、奥から手前方向に回転された場合には下方向にスクロールさせる。
【００４５】
一方、ＣＰＵ１０は、検出スイッチ２３によって回転ローラ２２に対する押下が検出されている状態で、回転ローラ２２の回転が検出されている場合（第１の状態）には、表示装置１３において表示されている表示画面を左右方向に、回転ローラ２２に対する回転量と回転方向に応じてスクロールさせる（ステップＡ５）。例えば、回転ローラ２２が手前から奥方向へ回転された場合には右方向へスクロールさせ、奥から手前方向に回転された場合には左方向にスクロールさせる。
【００４６】
このようにして、第１実施形態では、表示画面を上下方向にスクロールさせる場合には、単に回転ローラ２２を何れかの方向に回転させるだけで良く、さらに左右方向にスクロールさせる場合には、回転ローラ２２を押下しながら同様に回転操作をするだけで良い。すなわち、回転ローラ２２に対する回転操作と押圧操作とを個別に行うことなく、簡単に上下方向スクロールと左右方向スクロールとを使い分けることが可能となる。
【００４７】
（第２実施形態）  
次に、本発明の第２実施形態について説明する。  
第２実施形態は、回転ローラ２２、回転検出装置２１、及び検出スイッチ２３の配置構成が第１実施形態と異なるだけで、他の構成及び動作（図４）については同じであるものとして詳細な説明を省略する。
【００４８】
図５には、回転ローラ（操作子）２２の周辺部分の概略構成を示している。図５は、第２実施形態における特徴を説明するために必要な構成部分のみを示している。
【００４９】
回転ローラ２２は、回転可能とすると共に所定方向にスライド可能となるように、図示せぬ保持部材によって保持されており、図示せぬギア等を介してシャフト部分が回転検出装置２１と接続されている。回転検出装置２１は、回転ローラ２２の回転量と回転方向を検出したＣＰＵ１０に通知する。回転ローラ２２は、図示せぬバネ等の弾性部材によって、図５における回転検出装置２１が設けられている方向に付勢されている。つまり、回転検出装置２１側に付勢されている回転ローラ２２に対して、反対側にスライドさせることができる。
【００５０】
回転ローラ２２の回転検出装置２１が設けられている側の反対側には、検出スイッチ２３が配置されている。例えば、図５に示すように、検出スイッチ２３は、回転ローラ２２を支持するためのシャフトの軸線上に設けることができる。回転ローラ２２は、通常の指先を用いた回転操作によっては、弾性部材により付勢されているため検出スイッチ２３により検出（オン）されないが、意図的に検出スイッチ２３が設けられている側にスライドされることにより、検出スイッチ２３により検知（オン）される。
【００５１】
第２実施形態においては、ＣＰＵ１０は、検出スイッチ２３によって回転ローラ２２に対するスライドが検出されていない状態で、回転ローラ２２の回転が検出されている場合（第２の状態）には、表示装置１３において表示されている表示画面を上下方向に、回転ローラ２２に対する回転量と回転方向に応じてスクロールさせる。
【００５２】
一方、ＣＰＵ１０は、検出スイッチ２３によって回転ローラ２２に対するスライドが検出されている状態で、回転ローラ２２の回転が検出されている場合（第１の状態）には、表示装置１３において表示されている表示画面を左右方向に、回転ローラ２２に対する回転量と回転方向に応じてスクロールさせる。
【００５３】
このようにして、第２実施形態では、表示画面を上下方向にスクロールさせる場合には、単に回転ローラ２２を何れかの方向に回転させるだけで良く、さらに左右方向にスクロールさせる場合には、回転ローラ２２をスライドさせながら同様に回転操作をするだけで良い。すなわち、回転ローラ２２に対する回転操作とスライド操作とを個別に行うことなく、簡単に上下方向スクロールと左右方向スクロールとを使い分けることが可能となる。
【００５４】
（第３実施形態）  
次に、本発明の第３実施形態について説明する。  
第３実施形態は、回転ローラ２２、回転検出装置２１、及び検出スイッチ２３の配置構成が第１実施形態と異なるだけで、他の構成及び動作（図４）については同じであるものとして詳細な説明を省略する。
【００５５】
図６には、回転ローラ（操作子）２２の周辺部分の概略構成を示している。図６は、第３実施形態における特徴を説明するために必要な構成部分のみを示している。
【００５６】
回転ローラ２２は、回転可能となるように、図示せぬ保持部材によって保持されており、図示せぬギア等を介してシャフト部分が回転検出装置２１と接続されている。回転検出装置２１は、回転ローラ２２の回転量と回転方向を検出したＣＰＵ１０に通知する。
【００５７】
また、回転ローラ２２とは別個に検出スイッチ２３が設けられている。検出スイッチ２３は、例えば指先によって押下されることで、このスイッチ操作を検出（オン）してＣＰＵ１０に通知する。検出スイッチ２３は、図６に示すように、回転ローラ２２と隣接する位置に設けられても良いし、回転ローラ２２と同時に操作しやすい任意の位置に設けるようにしても良い。
【００５８】
第３実施形態においては、ＣＰＵ１０は、検出スイッチ２３によってスイッチ操作が検出されていない状態で、回転ローラ２２の回転が検出されている場合（第２の状態）には、表示装置１３において表示されている表示画面を上下方向に、回転ローラ２２に対する回転量と回転方向に応じてスクロールさせる。
【００５９】
一方、ＣＰＵ１０は、検出スイッチ２３によってスイッチ操作が検出されている状態で、回転ローラ２２の回転が検出されている場合（第１の状態）には、表示装置１３において表示されている表示画面を左右方向に、回転ローラ２２に対する回転量と回転方向に応じてスクロールさせる。
【００６０】
このようにして、第３実施形態では、表示画面を上下方向にスクロールさせる場合には、単に回転ローラ２２を何れかの方向に回転させるだけで良く、さらに左右方向にスクロールさせる場合には、回転ローラ２２とは別に設けられた検出スイッチ２３をオンするだけで良い。すなわち、回転ローラ２２に対する回転操作とスイッチ操作とを順次個別に行うことなく、簡単に上下方向スクロールと左右方向スクロールとを使い分けることが可能となる。
【００６１】
（第４実施形態）  
次に、本発明の第４実施形態について説明する。  
図７は本発明の第４実施形態に係わる電子機器により実現される携帯電話機の電子回路の構成を示すブロック図である。携帯電話機は、記録媒体に記録されたプログラムを読み込み、この読み込んだプログラムによって動作が制御されるコンピュータの機能が搭載される。
【００６２】
図７に示す携帯電話機は、ＣＰＵ１０がＲＡＭ１１、記憶装置１２、表示装置１３、通話ユニット１４、キー入力部１５と接続されることで構成されている。また、携帯電話機には、各種機能を制御するために操作される操作子（透明ローラ）２２が設けられている。操作子２２は、回転させるために接触（圧接）される物体、例えば指先の指紋の画像データを光学的に読取るため機構が設けられている。なお、操作子２２は、第１実施形態において説明して図２と同様にして携帯電話機に設けられるものとする。
【００６３】
なお、ＣＰＵ１０、ＲＡＭ１１、記憶装置１２、表示装置１３、通話ユニット１４、キー入力部１５については、第１実施形態と基本的に同様の機能を有するものとして詳細な説明を省略する。ただし、第４実施形態において、ＣＰＵ１０は、操作子２２内に設けられた１次元撮像素子３２によって撮像された画像をもとにローラを回転させる物体（例えば指先）のローラに対する位置を検出し、この物体の位置とローラの回転に応じたて表示装置１３における表示制御、例えば上下方向あるいは左右方向へのスクロール制御を行うものとする。
【００６４】
第４実施形態における操作子２２は、透明の中空ローラとして構成されており、中空内に照明用ＬＥＤ（Light Emitting Diode）などによる光源３０、セルフォックレンズ３１、１次元撮像素子（ラインセンサ）３２等の撮像系デバイスが、操作子（透明ローラ）２２の回転と連動しないように支持部材によって保持されている。
【００６５】
撮像制御回路２５は、１次元撮像素子（ラインセンサ）３２による画像信号の読み取りタイミングなどの制御を実行する。
【００６６】
Ａ／Ｄ変換回路２６は、撮像制御回路２５の制御によって読み取られた画像信号に対してＡ／Ｄ変換して、アナログ信号をデジタル化して画像データを生成する。
【００６７】
図８には、操作子（透明ローラ）２２の詳細な構成を示している。  
操作子（透明ローラ）２２は、光が透過するように透明な材料、例えばアクリルやガラスなどにより構成され、携帯電話機の筐体に設けられたスリットから外周面の一部を露出させて回転するように実装される。操作子（透明ローラ）２２の外表面部には、ローラ端部近傍に回転検出用光学パターン３３が印刷（あるいは表明形状の加工）によって施されている。回転検出用光学パターン３３は、ローラの外周面に１周に渡って一定周期を持つパターン、図８ではローラの回転軸に対して所定の角度（例えば４５°）をもった等間隔に連続する線分パターンとなっている。第４実施形態では、操作子（回転ローラ）２２に付された回転検出用光学パターン３３の部分を読み取って得られた画像の変化（線の部分の所定のずれ）が生じた場合に、画像データとして取り込んで指紋パターンの画像としてＲＡＭ１１に記録する。従って、操作子２２の回転方向と回転量を検知するための回転検出装置を不要としている。
【００６８】
セルフォックレンズ３１は、操作子（透明ローラ）２２における被検体が圧接される外面部分（読み取り部）を１次元撮像素子（ラインセンサ）３２に結像させる。なお、セルフォックレンズに限るものではなく、ロッドレンズ群などライン配置された小型レンズアレイによって構成される結像光学系を用いること可能である。
【００６９】
１次元撮像素子（ラインセンサ）３２は、例えば１列または数列の短冊形のＣＣＤラインセンサ、ＣＭＯＳラインセンサまたはフォトダイオードアレイなどによって構成されるもので、各撮像素子の配列が操作子（透明ローラ）２２の軸と平行となるように実装されている。操作子（透明ローラ）２２の内部に撮像機能部（１次元撮像素子（ラインセンサ）３２、セルフォックレンズ３１、光源３０（照明用ＬＥＤ）等）を実装することで、操作子２２の筐体表面における実装面積及び筐体内の実装体積を小さくしている。
【００７０】
セルフォックレンズ３１と１次元撮像素子（ラインセンサ）３２は、その光軸が操作子（透明ローラ）２２の中心軸を通過するように配置されており、撮像光学系の光軸が操作子（透明ローラ）２２の外面部分（読み取り部）に対して垂直となるように配置されている。
【００７１】
光源３０（照明用ＬＥＤ）は、被検体である指先に対して光を照射するためのもので、例えば操作子（透明ローラ）２２の長手方向に延びるようにアレイ配置されている。図８に示す例では、セルフォックレンズ３１を挟んで相対する位置にそれぞれ光源３０（照明用ＬＥＤ）が設けられている。
【００７２】
操作子（回転ローラ）２２では、光源３０から照射され読み取り部に圧接（接触）される被検体である指先において反射した光が、操作子（回転ローラ）２２を透過してセルフォックレンズ３１により１次元撮像素子（ラインセンサ）３２に集光される。撮像制御回路２５の制御により、セルフォックレンズ３１を介して集光された光が１次元撮像素子（ラインセンサ）３２により光電変換され、さらにＡ／Ｄ変換回路２６により指紋パターンを表す画像データとして変換される。１次元撮像素子（ラインセンサ）３２からは、例えば２００００回／秒のタイミングで定期的にデータが読み取られて、そのデータがＲＡＭ１１にバッファリングされる。
【００７３】
次に、第４実施形態における動作について説明する。  
第４実施形態では、操作子２２を操作する際の例えば指の位置に応じて、表示装置１３における表示画面の表示制御を実行させることができるものとする。ここでは、画面のスクロール制御を例にして、図９に示すフローチャートを参照しながら説明する。
【００７４】
まず、回転ローラ２２に対して指先が接触（圧接）され、その状態で所定の方向（ローラのシャフトと垂直な方向）で操作子（回転ローラ）２２を回転させながら移動されたものとする。
【００７５】
これにより、操作子（回転ローラ）２２の回転に伴って、撮像制御回路２５の制御により、１次元撮像素子（ラインセンサ）３２によって指紋パターンを表す画像データが読み取られる。また、１次元撮像素子２４によって読み取られる画像データ中には、操作子２２に付加された回転検出用光学パターン３３に該当する回転検出用画像も含まれている。
【００７６】
ＣＰＵ１０は、１次元撮像素子（ラインセンサ）３２により読み取られたデータに対して、操作子（回転ローラ）２２に付された回転検出用光学パターン３３の部分を読み取って得られた回転検出用画像の変化（線分パターンに該当する部分のずれ）が生じた場合に、画像データとして取り込んで指紋パターンの画像としてＲＡＭ１１に記録する。
【００７７】
ここで、ＣＰＵ１０は、順次読み取られる各ラインの画像データをもとに、回転検出用画像の位置がどのように変化するかによって、操作子（回転ローラ）２２が何れの方向に回転されているのか検出する（ステップＢ１）。例えば、回転検出用光学パターン３３は、ローラの軸に対して所定の角度を持って付加されているため、回転検出用画像の位置がローラの軸方向に沿って右方向、あるいは左方向の何れに移動（変化）しているかによって回転方向を検出することができる。
【００７８】
また、ＣＰＵ１０は、回転検出用画像の変化に応じて取り込まれる画像データをもとに、例えば画像データのライン数に応じたローラの回転量を検出する（ステップＢ２）。
【００７９】
次に、ＣＰＵ１０は、指紋パターンを表す画像データが、１次元撮像素子（ラインセンサ）３２によって読み取られる幅方向で何れの位置にあるか、すなわち操作子２２を操作する指位置が左寄りにあるか、あるいは右寄りにあるかを判別する。例えば、１次元撮像素子（ラインセンサ）３２によって検出される１ラインの画像データの中心から左右何れの側に、指紋パターンを表す画像データが含まれているかによって判別する。
【００８０】
例えば、図１０（ａ）に示すように、操作子２２に対して長さ方向の中央より左寄りに指が接触されて操作されている場合には、１次元撮像素子（ラインセンサ）３２によって読み取られる指紋パターンを表す画像データが左側に多くなるため、指位置が左側寄りであると判別される。同様にして、図１０（ｂ）に示すように、操作子２２に対して長さ方向の中央より右寄りに指が接触されて操作されている場合には、指紋パターンを表す画像データが右側に多くなるため、指位置が右側寄りであると判別される。
【００８１】
ここで、指位置が右側寄りであった場合には（ステップＢ３、右）、ＣＰＵ１０は、表示装置１３において表示されている表示画面を上下方向に、回転ローラ２２に対する回転量と回転方向に応じてスクロールさせる（ステップＢ４）。例えば、回転ローラ２２が手前から奥方向へ回転された場合には上方向へスクロールさせ、奥から手前方向に回転された場合には下方向にスクロールさせる。
【００８２】
一方、ＣＰＵ１０は、指位置が左側寄りであった場合には（ステップＢ３、左）、表示装置１３において表示されている表示画面を左右方向に、回転ローラ２２に対する回転量と回転方向に応じてスクロールさせる（ステップＢ５）。例えば、回転ローラ２２が手前から奥方向へ回転された場合には右方向へスクロールさせ、奥から手前方向に回転された場合には左方向にスクロールさせる。
【００８３】
このようにして、第４実施形態では、表示画面を上下方向にスクロールさせる場合には、操作子（回転ローラ）２２に対して左寄りに指を置いて何れかの方向に回転させるだけで良く、さらに左右方向にスクロールさせる場合には、操作子（回転ローラ）の右寄りに置いて同様に回転操作をするだけで良い。すなわち、回転ローラ２２に対する回転操作の他に押圧操作など別の操作を行うことなく、簡単に上下方向スクロールと左右方向スクロールとを使い分けることが可能となる。
【００８４】
（第５実施形態）  
次に、本発明の第５実施形態について説明する。  
第５実施形態は、基本的には第４実施形態と同様の構成（図７）によって実現されるものとして詳細な説明を省略する。ただし、第５実施形態では、１次元撮像素子（ラインセンサ）３２によって読み取られた指紋パターンを表す画像データに対して指紋識別を実行し、操作子２２に対する操作に使用した指の種類を判別し、この指の種類とローラの回転に応じて表示装置１３における表示制御を実行させることができるものとする。ここでは、画面のスクロール制御を例にして、図１１に示すフローチャートを参照しながら説明する。
【００８５】
ＣＰＵ１０は、ＲＡＭ１１（あるいは記憶装置１２）に記憶される指紋識別用の制御プログラムを実行することで、操作子２２を通じて指紋パターンを表す画像データを読み取り、この画像データをもとにした指紋識別処理を実行するものとする。
【００８６】
また、記憶装置１２には、予め、指紋識別対象とする利用者の指紋パターンのデータが記録されるものとする。この場合、複数の利用者毎に指紋識別用の指紋パターンのデータを記録しておけるようにしても良い。また、各利用者は、何れの指を用いて、どのような制御を実行させるかを任意に決めて、該当する指の指紋パターンのデータのみを制御内容と対応付けて記録しておくことができる。
【００８７】
なお、指紋パターンのデータの記録は、操作子２２を通じて行うことができる。例えば、指紋パターンの記録要求があった場合、ＣＰＵ１０は、制御対象とする制御内容の一覧を提示して利用者に選択させた後、操作子２２を回転させる操作をさせることによって指紋パターンの画像データを読取る。ＣＰＵ１０は、選択された制御内容と、読み取られた指紋パターンの画像データとを対応付けて、記憶装置１２に記録しておく。
【００８８】
例えば、予め、表示画面の上下方向のスクロールに対して、人差し指の指紋パターンが記録され、左右方向のスクロールに対して中指の指紋パターンが記録されるものとする。
【００８９】
まず、表示制御を操作するために、回転ローラ２２に対して指先が接触（圧接）され、その状態で所定の方向（ローラのシャフトと垂直な方向）で操作子（回転ローラ）２２を回転させながら移動されたものとする。
【００９０】
これにより、操作子（回転ローラ）２２の回転に伴って、指紋パターンを表す画像データが読み取られる。また、１次元撮像素子２４によって読み取られる画像データ中には、操作子２２に付加された回転検出用光学パターン３３に該当する回転検出用画像も含まれている。
【００９１】
ＣＰＵ１０は、第４実施形態と同様にして、回転検出用画像をもとにして記録される指紋パターンを表す画像データをもとに、操作子（回転ローラ）２２が何れの方向に回転されているのか検出すると共に、ローラの回転量を検出する（ステップＣ１，Ｃ２）。
【００９２】
次に、ＣＰＵ１０は、指紋パターンを表す画像データに対して、予め記憶装置１２に記録されている指紋識別用のデータをもとに指紋識別処理を実行する。
【００９３】
例えば、図１２（ａ）に示すように、操作子２２が人差し指によって操作されている場合には、操作子２２の回転に伴って読み取られた指紋パターンの画像データに対して指紋識別処理を実行することで、人差し指であることが識別される。また、図１２（ｂ）に示すように、操作子２２が中指によって操作されている場合には、操作子２２の回転に伴って読み取られた指紋パターンの画像データに対して指紋識別処理を実行することで、中指であることが識別される。
【００９４】
ここで、指の種類が人差し指であった場合には（ステップＣ３、人差し指）、ＣＰＵ１０は、表示装置１３において表示されている表示画面を上下方向に、回転ローラ２２に対する回転量と回転方向に応じてスクロールさせる（ステップＣ４）。例えば、回転ローラ２２が手前から奥方向へ回転された場合には上方向へスクロールさせ、奥から手前方向に回転された場合には下方向にスクロールさせる。
【００９５】
一方、ＣＰＵ１０は、指の種類が中指であった場合には（ステップＣ３、中指）、表示装置１３において表示されている表示画面を左右方向に、回転ローラ２２に対する回転量と回転方向に応じてスクロールさせる（ステップＣ５）。例えば、回転ローラ２２が手前から奥方向へ回転された場合には右方向へスクロールさせ、奥から手前方向に回転された場合には左方向にスクロールさせる。
【００９６】
このようにして、第５実施形態では、表示画面を上下方向にスクロールさせる場合には、操作子（回転ローラ）２２に対して、例えば上下方向のスクロールの制御内容と対応付けて予め指紋識別用に指紋パターンを記録してある人差し指を用いて何れかの方向に回転させるだけで良く、さらに左右方向にスクロールさせる場合には、操作子（回転ローラ）に対して、例えば左右方向のスクロールの制御内容と対応付けて予め指紋識別用に指紋パターンを記録してある中指を用いて同様に回転操作をするだけで良い。すなわち、回転ローラ２２に対する回転操作の他に押圧操作など別の操作を行うことなく、簡単に上下方向スクロールと左右方向スクロールとを使い分けることが可能となる。
【００９７】
（第６実施形態）  
次に、本発明の第６実施形態について説明する。  
第１〜第５実施形態では、ローラ状の操作子２２を用いてスクロールなどの制御を操作するものとして説明しているが、以下に説明する第６〜第１０実施形態では、少なくとも２ラインを有するライン状センサからなる操作子２２を用いて制御を操作する。
【００９８】
図１３は本発明の第６実施形態に係わる電子機器により実現される携帯電話機の電子回路の構成を示すブロック図である。携帯電話機は、記録媒体に記録されたプログラムを読み込み、この読み込んだプログラムによって動作が制御されるコンピュータの機能が搭載される。
【００９９】
図１３に示す携帯電話機は、ＣＰＵ１０がＲＡＭ１１、記憶装置１２、表示装置１３、通話ユニット１４、キー入力部１５と接続されることで構成されている。また、携帯電話機には、各種機能を制御するために操作される操作子２２が設けられている。操作子２２は、少なくとも２ラインを有するライン状センサであり、例えば図１３に示すように、１次元撮像素子（ラインセンサ）３２ａ，３２ｂが設けられている。Ａ／Ｄ変換回路２６ａ，２６ｂは、撮像制御回路２５の制御によって、１次元撮像素子３２ａ，３２ｂのそれぞれによって読み取られた画像信号に対してＡ／Ｄ変換して、アナログ信号をデジタル化して画像データを生成する。
【０１００】
ＣＰＵ１０は、１次元撮像素子３２ａ，３２ｂのそれぞれによって読み取られる画像データの変化をもとにして、１次元撮像素子３２ａ，３２ｂ状で移動される物体（指）の移動方向と移動量を検出する。
【０１０１】
なお、１次元撮像素子３２ａ，３２ｂは、光学式センサ、感熱式センサ、静電容量式センサ、感圧式センサなどによって実現することができる。また、操作子２２は、第１実施形態において説明して図２と同様にして携帯電話機に設けられるものとする。
【０１０２】
なお、ＣＰＵ１０、ＲＡＭ１１、記憶装置１２、表示装置１３、通話ユニット１４、キー入力部１５については、第４実施形態と基本的に同様の機能を有するものとして詳細な説明を省略する。
【０１０３】
図１４には、ラインセンサ４２の周辺部分の概略構成を示している。図１４は、第６実施形態における特徴を説明するために必要な構成部分のみを示している。
【０１０４】
ラインセンサ４２は、所定方向に押下可能となるように、図示せぬ保持部材によって保持されている。ラインセンサ４２は、図示せぬバネ等の弾性部材によって、図１４における上方向（携帯電話機の筐体外方向）に付勢されている。このため、押下可能となっている。
【０１０５】
さらに、ラインセンサ４２の下部には、検出スイッチ２３が配置されている。検出スイッチ２３は、通常の指先を用いた操作によっては、弾性部材により付勢されているため検出スイッチ２３により検出（オン）されないが、図中の矢印方向で意図的に押下されることにより下方に移動して、検出スイッチ２３により検出（オン）される。検出スイッチ２３は、ラインセンサ４２に対する押下操作を検出して（オン）、ＣＰＵ１０に対して通知する。
【０１０６】
次に、第６実施形態における動作について説明する。  
第６実施形態では、ラインセンサ４２に対する操作によって、表示装置１３における表示画面の表示制御を実行させることができるものとする。ここでは、画面のスクロール制御を例にして、図１５に示すフローチャートを参照しながら説明する。
【０１０７】
なお、第６実施形態は、第１実施形態における回転ローラによる操作子２２を、１次元撮像素子３２ａ，３２ｂ（以下、ラインセンサ４２として示す）からなる操作子２２とした点が異なるもので、その他の構成と動作は第１実施形態と同じである。
【０１０８】
まず、ラインセンサ４２に対して指先が接触（圧接）され、その状態で所定の方向に移動されたものとする。
【０１０９】
ＣＰＵ１０は、ラインセンサ４２によって読み取られた画像データをもとに、指の移動方向と移動量を検出する（ステップＤ１，Ｄ２）。
【０１１０】
ここで、ＣＰＵ１０は、検出スイッチ２３によってラインセンサ４２に対する押下が検出されていない状態の場合（第２の状態）には（ステップＤ３、ＯＦＦ）、表示装置１３において表示されている表示画面を、例えば上下方向に、ラインセンサ４２上における指の移動量と移動方向に応じてスクロールさせる（ステップＤ４）。例えば、ラインセンサ４２上で指が手前から奥方向へ移動された場合には上方向へスクロールさせ、奥から手前方向に移動された場合には下方向にスクロールさせる。
【０１１１】
一方、ＣＰＵ１０は、検出スイッチ２３によってラインセンサ４２に対する押下が検出されている状態の場合（第１の状態）には（ステップＤ３、ＯＮ）、表示装置１３において表示されている表示画面を左右方向に、ラインセンサ４２上における指の移動量と移動方向に応じてスクロールさせる（ステップＤ５）。例えば、ラインセンサ４２が手前から奥方向へ移動された場合には右方向へスクロールさせ、奥から手前方向に移動された場合には左方向にスクロールさせる。
【０１１２】
このようにして、第６実施形態では、表示画面を上下方向にスクロールさせる場合には、単にラインセンサ４２上で指を何れかの方向に移動させるだけで良く、さらに左右方向にスクロールさせる場合には、ラインセンサ４２を押下しながら同様に移動操作をするだけで良い。すなわち、ラインセンサ４２に対する移動操作と押圧操作とを個別に行うことなく、簡単に上下方向スクロールと左右方向スクロールとを使い分けることが可能となる。
【０１１３】
（第７実施形態）  
次に、本発明の第７実施形態について説明する。  
第７実施形態は、ラインセンサ４２に対する検出スイッチ２３の配置構成が第６実施形態と異なるだけで、他の構成及び動作（図１３）については同じであるものとして詳細な説明を省略する。
【０１１４】
図１６には、ラインセンサ４２の周辺部分の概略構成を示している。図１６は、第７実施形態における特徴を説明するために必要な構成部分のみを示している。
【０１１５】
ラインセンサ４２は、所定方向にスライド可能となるように、図示せぬ保持部材によって保持されている。ラインセンサ４２の端部近傍には、検出スイッチ２３が配置されている。ラインセンサ４２は、図示せぬバネ等の弾性部材によって、図１６における検出スイッチ２３が設けられている位置と反対方向に付勢されている。つまり、付勢されているラインセンサ４２に対して、ラインセンサ４２側にスライドさせることができる。
【０１１６】
ラインセンサ４２は、通常の指先を用いた回転操作によっては、弾性部材により付勢されているため検出スイッチ２３により検出（オン）されないが、意図的に検出スイッチ２３が設けられている側にスライドされることにより、検出スイッチ２３により検知（オン）される。
【０１１７】
第７実施形態は、第２実施形態における回転ローラによる操作子２２を、ラインセンサ４２からなる操作子２２とした点が異なるもので、その他の構成と動作は第２実施形態と同じである。
【０１１８】
すなわち、第７実施形態においては、ＣＰＵ１０は、検出スイッチ２３によってラインセンサ４２に対するスライドが検出されていない状態で、ラインセンサ４２上で指が移動されている場合（第２の状態）には、表示装置１３において表示されている表示画面を上下方向に、ラインセンサ４２に対する回転量と回転方向に応じてスクロールさせる。
【０１１９】
一方、ＣＰＵ１０は、検出スイッチ２３によってラインセンサ４２に対するスライドが検出されている状態で、ラインセンサ４２上で指が移動されている場合（第１の状態）には、表示装置１３において表示されている表示画面を左右方向に、ラインセンサ４２に対する回転量と回転方向に応じてスクロールさせる。
【０１２０】
このようにして、第７実施形態では、表示画面を上下方向にスクロールさせる場合には、単にラインセンサ４２上で指を何れかの方向に移動させるだけで良く、さらに左右方向にスクロールさせる場合には、ラインセンサ４２をスライドさせながら同様に指を移動させるだけで良い。すなわち、ラインセンサ４２上での指の移動操作とスライド操作とを個別に行うことなく、簡単に上下方向スクロールと左右方向スクロールとを使い分けることが可能となる。
【０１２１】
（第８実施形態）  
次に、本発明の第８実施形態について説明する。  
第８実施形態は、ラインセンサ４２に対する検出スイッチ２３の配置構成が第６実施形態と異なるだけで、他の構成及び動作（図１３）については同じであるものとして詳細な説明を省略する。
【０１２２】
図１７には、ラインセンサ４２の周辺部分の概略構成を示している。図１７は、第８実施形態における特徴を説明するために必要な構成部分のみを示している。
【０１２３】
第８実施形態では、図１７に示すように、ラインセンサ４２とは別個に検出スイッチ２３が設けられている。検出スイッチ２３は、例えば指先によって押下されることで、このスイッチ操作を検出（オン）してＣＰＵ１０に通知する。検出スイッチ２３は、図１７に示すように、ラインセンサ４２と隣接する位置に設けられても良いし、ラインセンサ４２と同時に操作しやすい任意の位置に設けるようにしても良い。
【０１２４】
第８実施形態においては、ＣＰＵ１０は、検出スイッチ２３によってスイッチ操作が検出されていない状態で、ラインセンサ４２上で指の移動が検出されている場合（第２の状態）には、表示装置１３において表示されている表示画面を上下方向に、ラインセンサ４２に対する指の移動量と移動方向に応じてスクロールさせる。
【０１２５】
一方、ＣＰＵ１０は、検出スイッチ２３によってスイッチ操作が検出されている状態で、ラインセンサ４２上での指の移動が検出されている場合（第１の状態）には、表示装置１３において表示されている表示画面を左右方向に、ラインセンサ４２上での指の移動量と移動方向に応じてスクロールさせる。
【０１２６】
このようにして、第８実施形態では、表示画面を上下方向にスクロールさせる場合には、単にラインセンサ４２上で指を何れかの方向に回転させるだけで良く、さらに左右方向にスクロールさせる場合には、ラインセンサ４２とは別に設けられた検出スイッチ２３をオンするだけで良い。すなわち、回転ローラ２２に対する操作とスイッチ操作とを順次個別に行うことなく、簡単に上下方向スクロールと左右方向スクロールとを使い分けることが可能となる。
【０１２７】
（第９実施形態）  
次に、本発明の第９実施形態について説明する。  
第９実施形態は、検出スイッチ２３を設けていない構成とするだけで、他の構成（図１３）については同じであるものとして詳細な説明を省略する。また、第９実施形態の動作は、第４実施形態と基本的には同様にして実行される。すなわち、第９実施形態では、ラインセンサ４２を操作する際の例えば指の位置に応じて、表示装置１３における表示画面の表示制御を実行させることができるものとする。ここでは、画面のスクロール制御を例にして、図１８に示すフローチャートを参照しながら説明する。
【０１２８】
まず、ラインセンサ４２に対して指先が接触（圧接）され、その状態で所定の方向で移動されたものとする。
【０１２９】
ＣＰＵ１０は、ラインセンサ４２によって読み取られた画像データをもとに、指の移動方向と移動量を検出する（ステップＥ１，Ｅ２）。
【０１３０】
ここで、ＣＰＵ１０は、１次元撮像素子３２ａ，３２ｂのそれぞれによって順次読み取られる各ラインの画像データをもとに、指紋パターンを表す画像データが、ラインセンサ４２によって読み取られる幅方向で何れの位置にあるか、すなわちラインセンサ４２を操作する指位置が左寄りにあるか、あるいは右寄りにあるかを判別する。例えば、ラインセンサ４２によって検出される１ラインの画像データの中心から左右何れの側に、指紋パターンを表す画像データが含まれているかによって判別する。
【０１３１】
例えば、図１９（ａ）に示すように、ラインセンサ４２に対して長さ方向の中央より左寄りに指が接触されて操作されている場合には、ラインセンサ４２によって読み取られる指紋パターンを表す画像データが左側に多くなるため、指位置が左側寄りであると判別される。同様にして、図１９（ｂ）に示すように、ラインセンサ４２に対して長さ方向の中央より右寄りに指が接触されて操作されている場合には、指紋パターンを表す画像データが右側に多くなるため、指位置が右側寄りであると判別される。
【０１３２】
ここで、指位置が右側寄りであった場合には（ステップＥ３、右）、ＣＰＵ１０は、表示装置１３において表示されている表示画面を上下方向に、ラインセンサ４２上での指の移動量と移動方向に応じてスクロールさせる（ステップＥ４）。例えば、ラインセンサ４２上で指が手前から奥方向へ移動された場合には上方向へスクロールさせ、奥から手前方向に移動された場合には下方向にスクロールさせる。
【０１３３】
一方、ＣＰＵ１０は、指位置が左側寄りであった場合には（ステップＥ３、左）、表示装置１３において表示されている表示画面を左右方向に、ラインセンサ４２上での指の移動量と移動方向に応じてスクロールさせる（ステップＥ５）。例えば、ラインセンサ４２上での指が手前から奥方向へ移動された場合には右方向へスクロールさせ、奥から手前方向に移動された場合には左方向にスクロールさせる。
【０１３４】
このようにして、第９実施形態では、表示画面を上下方向にスクロールさせる場合には、ラインセンサ４２に対して左寄りに指を置いて何れかの方向に移動させるだけで良く、さらに左右方向にスクロールさせる場合には、ラインセンサ４２の右寄りに置いて同様に移動操作をするだけで良い。すなわち、ラインセンサ４２上での指の移動操作の他に押圧操作など別の操作を行うことなく、簡単に上下方向スクロールと左右方向スクロールとを使い分けることが可能となる。
【０１３５】
（第１０実施形態）  
次に、本発明の第１０実施形態について説明する。  
第１０実施形態は、検出スイッチ２３を設けていない構成とするだけで、他の構成（図１３）については同じであるものとして詳細な説明を省略する。また、第１０実施形態の動作は、第５実施形態と基本的には同様にして実行される。すなわち、第１０実施形態では、ラインセンサ４２によって読み取られた指紋パターンを表す画像データに対して指紋識別を実行し、ラインセンサ４２に対する操作に使用した指の種類を判別し、この指の種類とラインセンサ４２上における指の移動量と移動方向に応じて表示装置１３における表示制御を実行させることができるものとする。ここでは、画面のスクロール制御を例にして、図２０に示すフローチャートを参照しながら説明する。
【０１３６】
なお、指紋識別用の指紋パターンのデータの記録は、予め、第５実施形態と同様にして実行されるものとして説明を省略する。
【０１３７】
まず、表示制御を操作するために、ラインセンサ４２に対して指先が接触（圧接）され、その状態で所定の方向移動されたものとする。
【０１３８】
ＣＰＵ１０は、ラインセンサ４２によって読み取られた画像データをもとに、指の移動方向と移動量を検出する（ステップＦ１，Ｆ２）。
【０１３９】
ここで、ＣＰＵ１０は、１次元撮像素子３２ａ，３２ｂのそれぞれによって順次読み取られる各ラインの画像データに対して、予め記憶装置１２に記録されている指紋識別用のデータをもとに指紋識別処理を実行する。
【０１４０】
例えば、図２１（ａ）に示すように、操作子２２が人差し指によって操作されている場合には、ラインセンサ４２上で指が移動されることにより読み取られた指紋パターンの画像データに対して指紋識別処理を実行することで、人差し指であることが識別される。また、図２１（ｂ）に示すように、ラインセンサ４２が中指によって操作されている場合には、ラインセンサ４２上で指が移動されることにより読み取られた指紋パターンの画像データに対して指紋識別処理を実行することで、中指であることが識別される。
【０１４１】
ここで、指の種類が人差し指であった場合には（ステップＦ３、人差し指）、ＣＰＵ１０は、表示装置１３において表示されている表示画面を上下方向に、ラインセンサ４２上での指の移動量と移動方向に応じてスクロールさせる（ステップＦ４）。例えば、ラインセンサ４２上で指が手前から奥方向へ移動された場合には上方向へスクロールさせ、奥から手前方向に移動された場合には下方向にスクロールさせる。
【０１４２】
一方、ＣＰＵ１０は、指の種類が中指であった場合には（ステップＦ３、中指）、表示装置１３において表示されている表示画面を左右方向に、ラインセンサ４２上での指の移動量と移動方向に応じてスクロールさせる（ステップＦ５）。例えば、ラインセンサ４２上で指が手前から奥方向へ移動された場合には右方向へスクロールさせ、奥から手前方向に移動された場合には左方向にスクロールさせる。
【０１４３】
このようにして、第１０実施形態では、表示画面を上下方向にスクロールさせる場合には、ラインセンサ４２上で、例えば上下方向のスクロールの制御内容と対応付けて予め指紋識別用に指紋パターンを記録してある人差し指を用いて何れかの方向に移動させるだけで良く、さらに左右方向にスクロールさせる場合には、ラインセンサ４２に対して、例えば左右方向のスクロールの制御内容と対応付けて予め指紋識別用に指紋パターンを記録してある中指を用いて同様に移動操作をするだけで良い。すなわち、ラインセンサ４２上での指の移動操作の他に押圧操作など別の操作を行うことなく、簡単に上下方向スクロールと左右方向スクロールとを使い分けることが可能となる。
【０１４４】
なお、前述した各実施形態においては、操作子に対する操作によって表示制御の切り換えができるものとして説明しているが、その他の各種の制御を対象とすることが可能である。
【０１４５】
さらに、上記実施の形態には種々の段階の発明が含まれており、開示される複数の構成要件における適宜の組み合わせにより種々の発明が抽出され得る。例えば、実施の形態に示される全構成要件から幾つかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１４６】
【図１】本発明の第１実施形態に係わる電子機器により実現される携帯電話機の電子回路の構成を示すブロック図。
【図２】第１実施形態における携帯電話機の外観例を示す図。
【図３】第１実施形態における回転ローラ（操作子）２２の周辺部分の概略構成を示す図。
【図４】第１実施形態の動作を説明するためのフローチャート。
【図５】第２実施形態における回転ローラ（操作子）２２の周辺部分の概略構成を示す図。
【図６】第３実施形態における回転ローラ（操作子）２２の周辺部分の概略構成を示す図。
【図７】第４実施形態に係わる電子機器により実現される携帯電話機の電子回路の構成を示すブロック図。
【図８】第４実施形態における操作子（透明ローラ）２２の詳細な構成を示す図。
【図９】第４実施形態の動作を説明するためのフローチャート。
【図１０】第４実施形態における操作子２２に対する操作例を示す図。
【図１１】第５実施形態の動作を説明するためのフローチャート。
【図１２】第５実施形態における操作子２２に対する操作例を示す図。
【図１３】第６実施形態に係わる電子機器により実現される携帯電話機の電子回路の構成を示すブロック図。
【図１４】第６実施形態におけるラインセンサ４２の周辺部分の概略構成を示す図。
【図１５】第６実施形態の動作を説明するためのフローチャート。
【図１６】第７実施形態におけるラインセンサ４２の周辺部分の概略構成を示す図。
【図１７】第８実施形態におけるラインセンサ４２の周辺部分の概略構成を示す図。
【図１８】第９実施形態の動作を説明するためのフローチャート。
【図１９】第９実施形態における操作子２２に対する操作例を示す図。
【図２０】第１０実施形態の動作を説明するためのフローチャート。
【図２１】第１０実施形態における操作子２２に対する操作例を示す図。
【符号の説明】
【０１４７】
１０…ＣＰＵ、１１…ＲＡＭ、１２…記憶装置、１３…表示装置（表示部）、１４…通話ユニット、１５…キー入力部（操作キー）、２１…回転検出装置、２２…回転ローラ（操作子）、２３…検出スイッチ、２５…撮像制御回路、２６，２６ａ，２６ｂ…Ａ／Ｄ変換回路、３０…光源（照明用ＬＥＤ）、３１…セルフォックレンズ、３２，３２ａ，３２ｂ…１次元撮像素子（ラインセンサ）、３３…回転検出用光学パターン、４２…ラインセンサ。
【図１】
2005149389.tif 000003
【図２】
2005149389.tif 000004
【図３】
2005149389.tif 000005
【図４】
2005149389.tif 000006
【図５】
2005149389.tif 000007
【図６】
2005149389.tif 000008
【図７】
2005149389.tif 000009
【図８】
2005149389.tif 000010
【図９】
2005149389.tif 000011
【図１０】
2005149389.tif 000012
【図１１】
2005149389.tif 000013
【図１２】
2005149389.tif 000014
【図１３】
2005149389.tif 000015
【図１４】
2005149389.tif 000016
【図１５】
2005149389.tif 000017
【図１６】
2005149389.tif 000018
【図１７】
2005149389.tif 000019
【図１８】
2005149389.tif 000020
【図１９】
2005149389.tif 000021
【図２０】
2005149389.tif 000022
【図２１】
2005149389.tif 000023